【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】
ティシュ紙基材と酵素阻害組成物とを有するティシュ紙製品であって、前記酵素阻害剤組成物が、前記ティシュ紙基材から肌上に移行可能であり、かつ前記肌上で酵素活性を阻害するに十分な量にて存在するティシュ紙製品。
【請求項２】
ティシュ紙基材と局部的に付与されたローションとを有し、前記局部的に付与されたローションが、前記酵素阻害組成物を含む、請求項１に記載のティシュ紙製品。
【請求項３】
前記酵素阻害組成物が、人の粘液に存在する酵素の阻害剤を含む、請求項１または２のいずれか１項に記載のティシュ紙製品。
【請求項４】
前記酵素阻害組成物が、リパーゼ阻害剤、プロテアーゼ阻害剤、およびこれらの混合物からなる群から選択される阻害剤を含む、請求項３に記載のティシュ紙製品。
【請求項５】
前記酵素阻害組成物が、１種類以上のエステル化合物を含む、請求項１から４のいずれか１項に記載のティシュ紙製品。
【請求項６】
前記局部的に付与された液体ローションが、第４アンモニウム化合物、ポリシロキサンおよびこれらの混合物からなる群から選択される柔軟化剤を含む、請求項２に記載のティシュ紙製品。
【請求項７】
前記ティシュ紙製品が、１０乃至１００ｇ／ｍ2、好ましくは２５乃至７０ｇ／ｍ2、の坪量を有する、請求項１から６のいずれか１項に記載のティシュ紙製品。
【請求項８】
鼻領域の肌上の酵素活性を阻害するための顔用ハンカチの製造における酵素阻害剤の使用。
【請求項９】
パルプを湿式法によりウェブに形成する工程と、前記パルプが、セルロース性繊維またはセルロース誘導体繊維からなる繊維を含み、
前記ウェブを乾燥して単数プライのティシュ紙基材を形成する工程と、
選択肢として２枚以上のプライを組み合わせて前記ティシュ紙基材をつくる工程と、
局部的にローションを付与する工程と、
前記ローションが、酵素阻害組成物を含み、前記酵素阻害組成物が、前記ティシュ紙基材から肌上へ移行可能であり、かつ肌上の酵素活性を阻害するに十分な量で存在することを特徴とし、
を有するティシュ紙製品の製造方法。
【請求項１０】  前記ローションが、前記ティシュ紙基材上にスプレーまたは転写される、請求項９に記載の方法。
【手続補正２】
【補正対象書類名】明細書
【補正対象項目名】０００２
【補正方法】変更
【補正の内容】
【０００２】
ティシュ紙製品が開示されており、これは基材と鎮静効果のあるローション（以下、液体製剤ともいう。）とを有する。１９８５年４月２３日発行の米国特許第４，５１３，０５１号明細書と１９９６年７月１１日発行の米国特許第５，５２５，３４５号明細書は顔用ティシュと手洗い用ティシュとして使用のため液体製剤を有するようなティシュ紙製品を開示する。ティシュを用いて肌を拭くと、痛みのある擦り傷または赤肌を発現させることがある。このことは、風邪で苦しんでおり頻繁に鼻をかむ必要があるときに特に当てはまる。鎮静効果のある液体製剤を用いて、ティシュ紙基材の表面のざらつきを軽減することにより、および時にはまた皮膚軟化剤を肌に塗ることにより皮の擦りむけと赤肌を軽減するように意図される。
【手続補正３】
【補正対象書類名】明細書
【補正対象項目名】０００３
【補正方法】変更
【補正の内容】
【０００３】
１９８４年９月５日公開の欧州特許第０，１１７，６１３号公報はオムツ発疹とオムツ皮膚炎の治療用と予防用の薬剤を開示している。開示される使い捨て可能な吸収性物品はオムツ、失禁パッド、および拭くものである。種々の薬剤が、ペトロラタム、酸化亜鉛および他の金属塩およびトリアセチンを含め開示されている。
【手続補正４】
【補正対象書類名】明細書
【補正対象項目名】０００５
【補正方法】変更
【補正の内容】
【０００５】
発明の概要
本発明の目的は酵素阻害剤組成物によって達成され、酵素阻害剤組成物は、ティシュ紙基材から肌上に移行（以下、転移ともいう。）可能であり、かつ肌上の酵素活性を阻害するに十分量にて存在する。好ましくはティシュ紙製品はティシュ紙基材と局部的に付与される液体製剤とを有し、局部的に付与される液体製剤は酵素阻害組成物を含有する。本発明のティシュ紙の好ましい用途は顔用ハンカチである。
【手続補正５】
【補正対象書類名】明細書
【補正対象項目名】００２５
【補正方法】変更
【補正の内容】
【００２５】
すなわち、
パルプを湿式法によりウェブに形成する工程と、ここでパルプは実質的にセルロース性繊維またはセルロース誘導体繊維からなる繊維を含み、
ウェブを乾燥して単数プライのティシュ紙基材を形成する工程と、
選択肢として２枚以上のプライを組み合わせてティシュ紙基材をつくる工程と、
酵素阻害組成物を局部的に付与する工程と、酵素阻害組成物は、ティシュ紙基材から肌上に転移可能であり、かつ肌上の酵素活性を阻害するに十分量にて存在し、
である。
【手続補正６】
【補正対象書類名】明細書
【補正対象項目名】００２６
【補正方法】変更
【補正の内容】
【００２６】
酵素阻害剤を局部的に付与する１つの好ましい方法はティシュ紙基材の表面にたとえば液体製剤の形態でそれを付与することである。酵素阻害組成物に加えて、液体製剤はまた選択肢として柔軟化／結合抑制剤、皮膚軟化剤、固定化剤およびこれらの混合物を含有する。適正柔軟化／結合抑制剤には第４アンモニウム化合物、ポリシロキサン、およびこれらの混合物が含まれる。適正皮膚柔軟化剤にはプロピレングリコール、グリセリン、トリエチレングリコール、鯨ロウまたは別のワックス、脂肪酸鎖に１２乃至２８個の炭素原子を有する脂肪酸、脂肪アルコールおよび脂肪アルコールエーテル、およびこれらの混合物が含まれる。適正固定化剤にはポリヒドロキシ脂肪酸エステル、ポリヒドロキシ脂肪酸アミド、およびこれらの混合物が含まれる。他の任意成分には香料、抗細菌剤、抗ウイルス剤、消毒剤、調剤用材、造膜剤、防臭剤、不透明化剤、収束剤、溶媒および類似剤が含まれる。
【手続補正７】
【補正対象書類名】明細書
【補正対象項目名】００２９
【補正方法】変更
【補正の内容】
【００２９】
具体例
具体例１
４プライ・ティシュ紙製品が、製品に対して６０．４ｇ／ｍ2の全坪量を有して製造された。これは顔用ハンカチである。ティシュ紙プライは商業用抄紙機を用いてパルプ完成紙料を脱水することによりつくられる。完成紙料の配合は４０％北部針葉樹クラフト長繊維パルプ（ソエドラ（Soedra）出所の無塩素漂白）および６０％広葉樹繊維（ポンテベルダ（Ponte Verda）出所のユーカリ無塩素漂白）を基準とする。紙はクレープ加工されそして残留水分５．５％に乾燥される。抄紙方向の引張り強さは約２３ニュートン／５０ｍｍであり、幅方向の引張り強さは約１２ニュートン／５０ｍｍである。各々１５．１ｇ／ｍ2の坪量を有する実質的に同一の４プライを加工して４プライ・ティシュ紙基材を形成する。
【手続補正８】
【補正対象書類名】明細書
【補正対象項目名】００３２
【補正方法】変更
【補正の内容】
【００３２】
具体例２
３プライ・ティシュ紙製品が、製品に対して４８．６ｇ／ｍ2の全坪量を有して製造された。これは手洗いティシュ紙である。ティシュ紙プライは商業用の通気空気乾燥付き抄紙機を用いてパルプ完成紙料を脱水することによりつくられる。完成紙料の配合は３５％北部針葉樹クラフト繊維パルプ、１２％ＣＴＭＰ（ケミサーモメカニカル・パルプ）、４５％広葉樹ユーカリパルプおよび８％抄紙損紙を基準とする。紙はクレープ加工されそして残留水分６％に乾燥される。抄紙方向の引張り強さは約２３ニュートン／５０ｍｍであり、幅方向の引張り強さは約１２ニュートン／５０ｍｍである。各々１６．２ｇ／ｍ2の坪量を有する実質的に同一の３プライを加工して３プライ・ティシュ紙基材を形成する。